(57)【要約】【課題】 モップ構造を提供する。【解決手段】主にモップ構造は上台組立て部品と底台組立て部品を含む。該上台組立て部品はフレーム体を含み、該フレーム体は２個の連動部品により第一軸棒と第二軸棒を該フレーム体上に可動設置する。掃除部品はその内１本の軸棒上に設置し、該掃除部品の一端は別の軸棒に連結する。こうして該掃除部品は該軸棒により駆動され、該２本の軸棒間において連動移動を形成する。該底台組立て部品は該フレーム体と結合する基板を含み、該フレーム体の底部に結合する。クッション体は該基板の下方に連結設置され、該掃除部品は該クッション体の露出区域に沿って移動可能である。よって、該掃除部品は操作過程において該基板の補助により、比較的大きい使用面積を備える形態を形成し、該クッション体が備えるサポート作用を対応させることで、該掃除部品は安定的に床面に接触し、より優れた掃除効果を達成することができる。【選択図】図１
0003135571.tif 000002
【実用新案登録請求の範囲】
【請求項１】
上台組立て部品と底台組立て部品と掃除部品とからなるモップ構造であって、該上台組立て部品はフレーム体を備え、該フレーム体は少なくとも１個の連動部品を経由し、第一軸棒と第二軸棒を該フレーム体上に可動設置し、該底台組立て部品は該フレーム体と結合する基板を含み、該フレーム体の底部に結合し、該掃除部品は該第一及び二軸棒及びその間の基板下方に装置し、こうして該掃除部品は該第一軸棒及び該第二軸棒の上及びその間の基板下方において連動移動を形成することを特徴とするモップ構造。
【請求項２】
前記モップ構造はクッション体を備え、該クッション体は該基板の下方に連結設置し、こうして該掃除部品は該クッション体の露出区域に沿って移動可能であることを特徴とする請求項１記載のモップ構造。
【請求項３】
前記連動部品の一端には該フレーム体外に延伸する駆動部を設置することを特徴とする請求項１又は請求項２記載のモップ構造。
【請求項４】
前記駆動部はダイヤル形態を呈することを特徴とする請求項３記載のモップ構造。
【請求項５】
該フレーム体上には干渉部品が設置され、該干渉部品は調節部を備え、該干渉部品を少なくとも１個の前記第一軸棒又は前記第二軸棒に向けて移動しながら接近させることで、該掃除部品が移動可能である一対の係合構造を形成することを特徴とする請求項１又は請求項２記載のモップ構造。
【請求項６】
前記調節部は連結部品を経由し、該フレーム体上に可動設置されることを特徴とする請求項５記載のモップ構造。
【請求項７】
該フレーム体上に干渉部品が設置され、該干渉部品は調節部を備え、該干渉部品を少なくとも１個の前記第一軸棒又は前記第二軸棒に向けて移動しながら接近させることで、該掃除部品が移動可能である一対の係合構造を形成することを特徴とする請求項３記載のモップ構造。
【請求項８】
前記調節部は連結部品を経由し、該フレーム体上に可動設置されることを特徴とする請求項７記載のモップ構造。
【請求項９】
前記基板には少なくとも１個の可動接続部を設置し、これにより該フレーム体と可動接続することを特徴とする請求項１又は請求項２記載のモップ構造。
【請求項１０】
前記基板には少なくとも１個の可動接続部を設置し、これにより該フレーム体と可動接続することを特徴とする請求項３記載のモップ構造。
【請求項１１】
前記基板には少なくとも１個の可動接続部を設置し、これにより該フレーム体と可動接続することを特徴とする請求項５記載のモップ構造。
【請求項１２】
前記基板には少なくとも１個の可動接続部を設置し、これにより該フレーム体と可動接続することを特徴とする請求項７記載のモップ構造。
【請求項１３】
前記クッション体は発泡体或いはその類似物であることを特徴とする請求項２記載のモップ構造。
【考案の詳細な説明】
【技術分野】
【０００１】
本考案は一種のモップ構造に関する。特に一種の掃除部品を便利に交換することができ、比較的大きい掃除面積を備え、しかも掃除部品をより確実に床面に接触させることができ、高い掃除効果を達成するモップ構造に係る。
【背景技術】
【０００２】
公知のモップ構造は布を束状にまとめグリップの端部に固定し、使用者は該グリップのその他部位を握持し、布を濡らした後に床面で往復させ拭き、こうして掃除の目的を達成するものである。
【０００３】
しかし、このような使用形態では、モップの洗浄時に使用者は手で布を絞る必要があり、或いは外部装置とモップに干渉を発生させ、手で布を絞るような状態を形成するが、この２種の方式は共に操作に大きな力を必要とする。中華民国実用新案第８７２０６５４０号「便利に操作可能なモップ構造」申請案においては、床を拭くモップ構造を掲示している。それはハンドルと台体を含み、該ハンドルは該台体上に可動設置し、しかも該ハンドルには開閉組を設置し、連動部品を利用し該台体上に設置する駆動棒を連動し、該台体下方に設置するロール組及び該ロール組上に装置する掃除物を連動する。内、該掃除物は該ロール組（該案中では２本のローラー装置）の表面に沿って設置する。操作時には、床面に接触する部位は、該２本のローラーが床面に接触する対応位置を利用し、掃除物と床面は接触を形成する。
【０００４】
しかし上記構造においては、実質上、該掃除物と床面が備える接触面積は２本の線性接触の形態を形成する。すなわち、このような接触面積は掃除時の効果には限界があり、使用時に確実に汚れ或いはほこりを拭き取ることができず、しかもある床面がより汚れている状況では、掃除物の床面に接触する部分はあっという間に汚れがたまり、位置を調整する必要が出て来る。こうして操作中にしばしば調整する必要があり、非常に面倒でこのような状況は望ましくない。
【特許文献１】中華民国実用新案第８７２０６５４０号
【考案の開示】
【考案が解決しようとする課題】
【０００５】
本考案は上記構造の問題点を解決したモップ構造を提供するものである。
【課題を解決するための手段】
【０００６】
上記課題を解決するため、本考案は下記のモップ構造を提供する。本考案の主要な目的はモップ構造を提供し、それは簡易な使用形態を備え、使用者は使用及び掃除部品の交換を便利に行うことができ、本考案の次なる目的は掃除部品の床面に接触する面積を拡大することにより、該掃除部品と床面接触時の相互作用力を拡大し、より優れた掃除作用を備え、すなわちそれは上台組立て部品と底台組立て部品を含み、該上台組立て部品はフレーム体を含み、該フレーム体は２個の連動部品により第一軸棒と第二軸棒を該フレーム体上に可動設置し、該連動部品の端部は該フレーム体上に突出され、その上には駆動部を設置し、該連動部品を駆動し、掃除部品は軸棒上に装置し、該掃除部品の一端は別の軸棒と連結し、こうして該掃除部品は該軸棒により駆動され、該２本の軸棒間において連動移動を形成し、干渉部品は該フレーム体上に設置され、調節部可を備え、該干渉部品は掃除部品を設置する軸棒に向けて移動し接近し、軸棒に対応し該掃除部品を固定し、こうして操作中に掃除部品が移動することを防止し、該底台組立て部品は該フレーム体と結合する基板を含み、該フレーム体の底部に結合し、クッション体は該基板の下方に連結設置し、該掃除部品は該クッション体の露出区域に沿って移動が可能で、該掃除部品は操作過程において該基板の補助により、比較的大きい使用面積を備える形態を形成し、該クッション体が備えるサポート作用を対応させることで、該掃除部品は安定的に床面に接触し、より優れた掃除効果を達成することができるモップ構造を提供する。
【考案の効果】
【０００７】
上記のように、本考案のモップ構造は公知のモップ構造に比べ、より広い区域の操作面積を備え、しかも該クッション体が備えるサポート作用を対応させることで、掃除部品と床面の密着程度を増加させることができ、こうしてより良い掃除効果を達成可能である。さらに公知のローラーを備えるモップ構造において、接触面積が過小で掃除部品を常に調整しなければならないという欠点を改善可能で、操作過程をより簡便、容易とすることができる。
【考案を実施するための最良の形態】
【０００８】
本考案が備える新規性、特徴、その他目的と機能及び効果について、以下に図を用い説明する。
【０００９】
本考案の最適実施例指示図である図１に示すように、本考案構造は上台組立て部品１と底台組立て部品２を含む。
【００１０】
該上台組立て部品１はフレーム体１１を含み、該フレーム体１１は２個の連動部品１５、１６を経由し、第一軸棒１２と第二軸棒１３を該フレーム体１１上に平行可動設置する。該連動部品１５、１６の端部は該フレーム体上１１上に突出し、その上にはダイヤル形態を呈する駆動部１５１、１６１を設置し、該連動部品１５、１６を駆動する。
【００１１】
掃除部品１４は本実施例中では、ほこり吸着紙材或いは濡らすことができる布質材料などの掃除用材料である。本実施例中では該掃除部品１４を該第一軸棒１２上に装置し、該掃除部品１４の一端を第二軸棒１３に連結する。これにより該掃除部品１４は該連動部品１５（或いは１６）により連動され、該軸棒１２、１３間において連動移動を形成する。
【００１２】
干渉部品１９は該フレーム体１１上に設置し、調節部１９１を備え、これにより該干渉部品１９は該掃除部品１４を設置する第一軸棒１２に向かい移動し接近し、軸棒に対応し該掃除部品１４を固定する。こうして操作中の該掃除部品１４の移動を防止することができる。本実施例では、該調節部１９１は該連動部品１７を経由し、該フレーム体１１上に可動設置され、しかも該連動部品１７の外端は該フレーム体１１の外に延伸し、駆動部１７１を設置する。
【００１３】
続いて図２に示すように、該底台組立て部品２は該フレーム体１１と結合可能な基板２１を含み、該フレーム体１１の底部に結合する。
【００１４】
クッション体２２（発泡体或いはその類似物など）は、該基板１１の下方に連結設置し、しかもこれにより該掃除部品１４は該クッション体２２の露出区域に沿って移動を行う。
【００１５】
内、該掃除部品１４は操作過程において該基板２１の補助により、比較的大きい使用面積を備える形態を形成し、該クッション体２２が備えるサポート作用を対応させ、該掃除部品１４は安定的に床面に接触し、より優れた掃除効果を達成することができる。
【００１６】
図３、４に示すように、該掃除部品１４を該上台組立て部品１内部に装置する状況においては、先ず該掃除部品１４を該第一軸棒１２に装置し、続いて該連動部品１５を経由し、それを該フレーム体１１上に可動設置する。
【００１７】
こうして該基板２１は該第一軸棒１２のエッジに近付き該フレーム体１１上に連結し、しかも該掃除部品１４の一端を引っ張り該クッション体２２の週辺に沿ってセットする。該基板２１の該フレーム体１１にまだ連結していないエッジを回り込んだ後、該第二軸棒１３に連結する。該基台２１上には該第二軸棒１３を設置する２個の可動接続部２３を設置し、それぞれ該第二軸棒１３の両端部を支える。
【００１８】
本実施例では、該基板２１の該第二軸棒１３に近いエッジは該フレーム体１１上に連結し、該連動部品１６は該フレーム体１１と該第二軸棒１３を穿設する。同時に、該干渉部品１９は該第二軸棒１３を押すことができ、こうして該掃除部品１４の移動を牽制し、該掃除部品１４は操作過程において移動しない使用形態を保持することができる。使用者が該干渉部品１９を押すと、該干渉部品１９の該掃除部品１４に対する干渉状態を解除することができる。
【００１９】
図５に示すように、ある程度の時間の使用を経ると、該掃除部品１４の床面に接触する部分は汚れ、交換の必要が生じる。この場合には、該駆動部１７１を利用し該連動部品１７を回転動させ、一次的に該干渉部品１９を釈放する。図中の矢印が示す方向に、該第二軸棒１３上に設置する連動部品１６を回転動させ、これにより該掃除部品１４は図に示すように該第一軸棒１２上から該掃除部品１４の未使用部分を引き出し交換することができる。該掃除部品１４の汚れた部分が収納されると、再び該干渉部品１９を固定し、使用を継続する。別種の実施例では、該干渉部品１９はプッシュ式構造の係合装置とすることもできる。
【００２０】
上記は本考案の最適実施例に過ぎず、本考案の実施範囲を限定するものではない。本考案申請範囲での各種の変動や潤色はすべて本考案の保護範囲である。
【図面の簡単な説明】
【００２１】
【図１】本考案最適実施例の立体分解図
【図２】本考案図１の立体説明図
【図３】本考案図１の使用形態の説明図（一）
【図４】本考案図１の使用形態の説明図（二）
【図５】本考案図１の使用形態の説明図（三）
【符号の説明】
【００２２】
１      上台組立て部品
１１    フレーム体
１２    第一軸棒
１３    第二軸棒
１４    掃除部品
１５    連動部品
１６    連動部品
１７    連動部品
１５１  駆動部
１６１  駆動部
１７１  駆動部
１８    固定部品
１９    干渉部品
１９１  調節部
２      底台組立て部品
２１    基板
２２    クッション体
２３    可動接続部
３      グリップ
【図１】
0003135571.tif 000003
【図２】
0003135571.tif 000004
【図３】
0003135571.tif 000005
【図４】
0003135571.tif 000006
【図５】
0003135571.tif 000007